(57)【要約】      （修正有）【課題】オゾンと空気の混合された気体を、プローブによって、石鹸と熱湯の容器内で濃い泡体を生成し、これを介護用、医療用の身体に対してプローブで塗布、マッサージと冷却をすることによって身体の美容と洗浄する方法を提供する。【解決手段】オゾン発生器とプローブＢとを連結し、オゾン発生器からオゾンと、空気供給との気体を混合した後、該プローブＢを容器７内の石鹸と熱湯との内部で撹拌を繰返して微細径の泡体８を生成した後、該プローブＢに付着した泡体８を身体の各所に塗布洗浄し、その後、オゾンと空気との混合した気体を噴散させて泡体８を除去して、冷却と共に石鹸分を減少させる方法と、プローブＢに水を浸したコットンを巻着して少量の水分によりマッサージするオゾン発生器とプローブＢによる美容、洗浄方法を特徴とするものである。【選択図】図３
2008068044.tif 000002
【特許請求の範囲】
【請求項１】
オゾン供給と空気供給とを有するオゾン発生器と、ホース部に連結される気泡筒を設けたプローブとより構成され、該オゾン供給からのオゾンと、該空気供給からの空気との気体を混合した後、該プローブの気泡筒に送風し、その後、該気泡筒を容器内に石鹸と熱湯を注入した内部で撹拌を繰返して微細径の泡体を生成した後、該プローブに付着した泡体を身体の要所に均等に塗布洗浄し、その後、該プローブによってオゾン供給と空気供給との混合気体を噴散させて泡体を除去し、冷却と共に石鹸分を減少させる事を特徴とするオゾン発生器とプローブによる美容、洗浄方法。
【請求項２】
請求項１記載のプローブは、水を浸したコットン等を巻着して少量の水分により冷却しながらマッサージをする事を特徴とする請求項１のオゾン発生器とプローブによる美容、洗浄方法。
【発明の詳細な説明】
【技術分野】
【０００１】  本発明は、美顔、全身体の美容又は床に寝たきりの介護用及び医療用の身体の各所における美容と洗浄にオゾン効果のある泡体を作成し、これを身体の各所に塗布して流水を使用しないで清潔に洗浄することを特徴とするオゾン発生器とプローブによる美容、洗浄方法に関するものである。
【背景技術】
【０００２】  一般にこの種の身体を洗浄する泡体を生成するには、シャンプー又は石鹸をそのまま直接に身体の肌又は頭部等に塗布するか、又は泡立用のスポンジ及び泡立てネット使用することが一般的に実施されている現状である。従って、石鹸及びシャンプーの成分を多量に含んでいるものである。そのため、石鹸及びシャンプーが肌や、頭部に多量に残存するので、完全な滌いが必要となるものである。その為に、シャワー設備や風呂場等の施設が必要となり、水廻りの設備が無い施設及び部屋の中での美顔用及び全身用又は寝たままの人達の身体を洗浄することは不可能であり、使用の用途は限定される問題点がある。
【発明の開示】
【発明が解決しようとする課題】
【０００３】  本発明は、上記従来の問題点を解決したものであり、その主たる目的とする所は、設備が整っていない所及び風呂場でない所でも、美顔用、全身美容用、怪我や病気等で動作が不自由な患者用、更に寝たままの人の洗浄介護用に使用するものである。そして、オゾン発生器からのオゾンと、空気供給からの空気を混合した気体をプローブによって容器用の石鹸と熱湯とを撹拌して石鹸分の少ない滌い不要の微細径の泡体を生成する。この泡体を全身体又は顔面等に塗着して被膜を作り、皮膚の表面の温度を高め、毛穴等を開放させ、汚染を浮き出させ、乾いたタオル等で吸い取るだけで、皮膚面を美しく洗浄して拭き取ることが出来る方法を提供するものである。
また、全身体の各部所においては、該プローブに水を浸したコットン等を巻着して拭き取るだけで美容に良好となり、且つ少量の水分を利用したマッサージにも最適となるオゾン発生器とプローブによる美容、洗浄方法を提供する事を目的としている。
【課題を解決するための手段】
【０００４】  本発明は、上記目的を達成するために、オゾン発生器とプローブによる美容、洗浄方法によれば、オゾン発生器よりのオゾンと空気との気体を混合してプローブの気泡筒に送風し、容器内注入した石鹸と熱湯とを該気泡筒よりの気体で撹拌して石鹸分の少ない泡体の密度が濃い微細径になった泡体を生成させた後に、該プローブに付着した泡体を身体の要所に均等に塗布して被膜を作りながら洗浄し、その後、該プローブの気泡筒に該オゾン発生器よりのオゾンと空気との混合気体を噴散させて泡体を除去する。その後、該プローブよりの空気の噴出及び水を浸したコットン等を巻着して冷却しながらマッサージをして毛穴を閉鎖して身体の皮膚表面を清浄にするものである。
【発明の効果】
【０００５】  以上説明したように本発明は美顔用、全身用、寝たきりの介護用及び医療用にも充分使用して、美容と洗浄できる効果がある。そして、従来の如く、スポンジ及び泡立ネットを使用して生成した泡体と異なり、シャワーの設備及び風呂場等の洗うための施設を必要としないで身体等も洗浄できる優れた効果がある。
また、オゾンと空気との気体を混合し、これをプローブの気泡筒に送りながら容器内の石鹸と熱湯とを撹拌して微細径の泡体を容易に生成できる効果と、該微細径の密度の濃い泡体を身体の肌にむらなく塗布すると皮膚の表面温度が上昇し、毛穴が開放して汚れが自然に浮き出るデトックス効果と、オゾンによる漂白効果によって全身を美しく白くさせる効果がある。また、プローブによってオゾンと空気との混合した気体を噴散させて身体の泡体を除去すると共に冷却と石鹸分を減少させるので、介護用及や医療用の場合の寝たままの状態でも充分に使用できる便利な効果と、身体の表面を冷却すると共に、残置した泡体は、プローブに水を浸したコットン等を巻着して容易に拭き取ることが出来るので、身体の不自由な人等を、風呂、シャワー等の設備場所まで運ぶ作業が不要となる等の便利な効果もある。
また、オゾンには薬品、アルコールを使用せず殺菌できる効果があるので、肌荒れ、床ずれにも効果がある。
【発明を実施するための最良の形態】
【０００６】  上記のように、オゾン発生器とプローブによる美容、洗浄方法によれば、必要に対応する容器に熱湯と、肌にやわらかい成分の石鹸を入れ、プローブよりのオゾンと空気よりなる気体で撹拌し、多量の微細径の泡体を生成する。そして、身体及び顔等にプローブにより大量の泡体を塗布し、５分及至１０分程度放置した後に、乾いたタオルで拭き取り、更に、プローブに水分を含ませたコットンを捲き付け、空気の噴射と共に水を吹き付けながら石鹸分等と汚れを完全に取り除くものである。
【実施例１】
【０００７】  次に、本発明の実施例を図面について説明すると、図１に示す如く、オゾン発生器（Ａ）は、大小各種の方形状の筐体より構成され、正面側には、オゾン供給ハンドル（１１）と、空気ハンドル（１２）及びパワータイマー（１３）とを各々装設してある。更に、該オゾン発生器（Ａ）には、表面の所定位置にオゾン供給口（１４）を装設してあると共に、表面には携帯に便利な各種形状の把手部（１５）を設けてある。【０００８】  また、図２に示す実施例のものは、該オゾン発生器（Ａ）に設けた該オゾン供給口（１４）に差込部（６）を以って接続されるプローブ（Ｂ）は、外周に気泡を放出する気泡筒（２）を被嵌してある。
該プローブ（Ｂ）には、連結部（３）を以ってホース部（５）を連結すると共に、該ホース部（５）の先端に、該オゾン供給口（１４）に挿差する差込部（６）を装設してある。【０００９】  次に、図３に示すものは、各種のポール等の容器（７）の内部には、熱湯と身体に優しい石鹸とを入れて石鹸水を作り、該オゾン発生器（Ａ）に接続された該プローブ（Ｂ）を石鹸水の中に入れてオゾンと空気を発散させながら充分に撹拌することによって多量の微細径の綿状の泡体（８）を生成するものである。【００１０】  更に、図４に示す実施例は、身体（９）にプローブ（Ｂ）を当てた状態を示し、該オゾン発生器（Ａ）の内部に収納されている各部所を示すものであって、該オゾン発生器（Ａ）は、放電電極、誘電電極及び外部の高周波高圧電源から構成されてオゾンを生成するものである。
オゾン希釈部（１７）は、オゾンと空気とを混合した気体を作り、オゾンの濃度は、皮膚に吹き付けた時に、皮膚に損傷を与えない程度に微細気泡状態で希釈する。該オゾンの濃度は、例えば、通常のオゾン殺菌の１００倍以下で制御するものである。【００１１】  次に、空気吸入部（１６）は、該オゾン希釈部（１７）で用いる空気を吸入するものであって、エアーポンプを装備してある。また、符号（１０）は、オゾン発生部を示し、該オゾン希釈部（１７）に連通される。開閉バルブ（１８）は、該オゾン希釈部（１７）とプローブ（Ｂ）との間に装設され、気体供給量制御部（１９）から送られる制御されたガス流量設定信号に従って、該開閉バルブ（１８）の弁の開度が制御されるものである。
更に、該プローブ（Ｂ）は、筒状に形成され、該オゾン希釈部（１７）で希釈されたオゾン含有の気体を噴出させ、該プローブ（Ｂ）の外周に気泡筒（２）を設け、その構成材料としては、ゴム性樹脂等を発泡させた多孔質の材料より構成されているものである。符号（２０）は、身体（９）の顔面を示したものである。
【図面の簡単な説明】
【００１２】
【図１】  本発明のオゾン発生器の全体の斜面図である。
【図２】  本発明のプローブとホース部との全体の斜面図である。
【図３】  同じく本発明の泡体を生成する容器とプローブを示す斜面図である。
【図４】  本発明のプローブを身体の一部に摺動圧接した状態とオゾン発生器とプローブとのブロック図である。
【符号の説明】
【００１３】Ａ          オゾン発生器
Ｂ          プローブ
２          気泡筒
３          連結部
５          ホース部
６          差込部
７          容器
８          泡体
９          身体
１０        オゾン発生部
１１        オゾン供給ハンドル
１２        空気供給ハンドル
１３        パワータイマー
１４        オゾン供給口
１５        把手部
１６        空気吸入部
１７        オゾン希釈部
１８        開閉バルブ
１９        気体供給量制御部
２０        顔面
【図１】
2008068044.tif 000003
【図２】
2008068044.tif 000004
【図３】
2008068044.tif 000005
【図４】
2008068044.tif 000006
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
オゾン供給と空気供給とを有するオゾン発生器と、ホース部に連結される気泡筒を設けた流体放出器とより構成され、該オゾン供給からのオゾンと、該空気供給からの空気との気体を混合した後、該流体放出器の気泡筒に送風し、その後、該気泡筒を容器内に石鹸と熱湯を注入した内部で撹拌を繰返して微細径の泡体を生成した後、泡体を身体の要所に均等に塗布洗浄し、その後、該流体放出器によってオゾン供給と空気供給との混合気体を噴散させて泡体を除去し、冷却と共に石鹸分を減少させる事を特徴とするオゾン発生器と流体放出器による美容、洗浄方法。
【請求項２】
請求項１記載の流体放出器は、水を浸したコットン等を巻着して少量の水分により冷却しながらマッサージをする事を特徴とする請求項１のオゾン発生器と流体放出器による美容、洗浄方法。
【請求項３】
請求項１記載の流体放出器は、石鹸を泡立てて身体の要所に塗布した後、乾いたタオル又はスポンジ等によって吸引することを特徴とする請求項１のオゾン発生器と流体放出器による美容、洗浄方法。
【手続補正２】
【補正対象書類名】明細書
【補正対象項目名】全文
【補正方法】変更
【補正の内容】
【発明の詳細な説明】
【技術分野】
【０００１】  本発明は、美顔、全身体の美容又は床に寝たきりの介護用及び医療用の身体の各所における美容と洗浄にオゾン効果のある泡体を作成し、これを身体の各所に塗布して流水を使用しないで清潔に洗浄することを特徴とするオゾン発生器と流体放出器による美容、洗浄方法に関するものである。
【背景技術】
【０００２】  一般にこの種の身体を洗浄する泡体を生成するには、シャンプー又は石鹸をそのまま直接に身体の肌又は頭部等に塗布するか、又は泡立用のスポンジ及び泡立てネット使用することが一般的に実施されている現状である。従って、石鹸及びシャンプーの成分を多量に含んでいるものである。そのため、石鹸及びシャンプーが肌や、頭部に多量に残存するので、完全な滌いが必要となるものである。その為に、シャワー設備や風呂場等の施設が必要となり、水廻りの設備が無い施設及び部屋の中での美顔用及び全身用又は寝たままの人達の身体を洗浄することは不可能であり、使用の用途は限定される問題点がある。
【発明の開示】
【発明が解決しようとする課題】
【０００３】  本発明は、上記従来の問題点を解決したものであり、その主たる目的とする所は、設備が整っていない所及び風呂場でない所でも、美顔用、全身美容用、怪我や病気等で動作が不自由な患者用、更に寝たままの人の洗浄介護用に使用するものである。そして、オゾン発生器からのオゾンと、空気供給からの空気を混合した気体を流体放出器によって容器用の石鹸と熱湯とを撹拌して石鹸分の少ない滌い不要の微細径の泡体を生成する。この泡体を全身体又は顔面等に塗着して被膜を作り、皮膚の表面の温度を高め、毛穴等を開放させ、汚染を浮き出させ、乾いたタオル等で吸い取るだけで、皮膚面を美しく洗浄して拭き取ることが出来る方法を提供するものである。
また、全身体の各部所においては、該流体放出器に水を浸したコットン等を巻着して拭き取るだけで美容に良好となり、且つ少量の水分を利用したマッサージにも最適となるオゾン発生器と流体放出器による美容、洗浄方法を提供する事を目的としている。
【課題を解決するための手段】
【０００４】  本発明は、上記目的を達成するために、オゾン発生器と流体放出器による美容、洗浄方法によれば、オゾン発生器よりのオゾンと空気との気体を混合して流体放出器の気泡筒に送風し、容器内注入した石鹸と熱湯とを該気泡筒よりの気体で撹拌して石鹸分の少ない泡体の密度が濃い微細径になった泡体を生成させた後に、泡体を身体の要所に均等に塗布して被膜を作りながら、その後、乾いたタオルと該流体放出器の気泡筒に該オゾン発生器よりのオゾンと空気との混合気体を噴散させて泡体を除去する。その後、該流体放出器よりの空気の噴出及び水を浸したコットン等を巻着して冷却しながらマッサージをして毛穴を閉鎖して身体の皮膚表面を清浄にするものである。
【発明の効果】
【０００５】  以上説明したように本発明は美顔用、全身用、寝たきりの介護用及び医療用にも充分使用して、美容と洗浄できる効果がある。そして、従来の如く、スポンジ及び泡立ネットを使用して生成した泡体と異なり、シャワーの設備及び風呂場等の洗うための施設を必要としないで身体等も洗浄できる優れた効果がある。
また、オゾンと空気との気体を混合し、これを流体放出器の気泡筒に送りながら容器内の石鹸と熱湯とを撹拌して微細径の泡体を容易に生成できる効果と、該微細径の密度の濃い泡体を身体の肌にむらなく塗布すると皮膚の表面温度が上昇し、毛穴が開放して汚れが自然に浮き出るデトックス効果と、オゾンによる効果によって全身を美しく白くさせる効果がある。また、流体放出器によってオゾンと空気との混合した気体を噴散させて身体の泡体を乾いたタオルで吸い取ることにより、濯ぐことを不要とすると共に冷却と石鹸分を減少させるので、介護用及や医療用の場合の寝たままの状態でも充分に使用できる便利な効果と、身体の表面を冷却すると共に、残置した泡体は、流体放出器に水を浸したコットン等を巻着して容易に拭き取ることが出来るので、身体の不自由な人等を、風呂、シャワー等の設備場所まで運ぶ作業が不要となる等の便利な効果もある。
また、オゾンには薬品、アルコールを使用せず殺菌できる効果があるので、肌荒れ、床ずれにも効果がある。
【発明を実施するための最良の形態】
【０００６】  上記のように、オゾン発生器と流体放出器による美容、洗浄方法によれば、必要に対応する容器に熱湯と、肌にやわらかい成分の石鹸を入れ、流体放出器よりのオゾンと空気よりなる気体で撹拌し、多量の微細径の泡体を生成する。そして、身体及び顔等に大量の泡体を塗布し、５分及至１０分程度放置した後に、乾いたタオルで吸い取り、更に、流体放出器に水分を含ませたコットンを捲き付け、空気の噴射と共に水を吹き付けながら石鹸分等と汚れを完全に取り除くものである。
【実施例１】
【０００７】  次に、本発明の実施例を図面について説明すると、図１に示す如く、オゾン発生器（Ａ）は、大小各種の方形状の筐体より構成され、正面側には、オゾン供給ハンドル（１１）と、空気ハンドル（１２）及びパワータイマー（１３）とを各々装設してある。更に、該オゾン発生器（Ａ）には、表面の所定位置にオゾン供給口（１４）を装設してあると共に、表面には携帯に便利な各種形状の把手部（１５）を設けてある。【０００８】  また、図２に示す実施例のものは、該オゾン発生器（Ａ）に設けた該オゾン供給口（１４）に差込部（６）を以って接続される流体放出器（Ｂ）は、外周に気泡を放出する気泡筒（２）を被嵌してある。
該流体放出器（Ｂ）には、連結部（３）を以ってホース部（５）を連結すると共に、該ホース部（５）の先端に、該オゾン供給口（１４）に挿差する差込部（６）を装設してある。【０００９】  次に、図３に示すものは、各種のポール等の容器（７）の内部には、熱湯と身体に優しい石鹸とを入れて石鹸水を作り、該オゾン発生器（Ａ）に接続された該流体放出器（Ｂ）を石鹸水の中に入れてオゾンと空気を発散させながら充分に撹拌することによって多量の微細径の綿状の泡体（８）を生成するものである。【００１０】  更に、図４に示す実施例は、身体（９）に流体放出器（Ｂ）を当てた状態を示し、該オゾン発生器（Ａ）の内部に収納されている各部所を示すものであって、該オゾン発生器（Ａ）は、放電電極、誘電電極及び外部の高周波高圧電源から構成されてオゾンを生成するものである。
オゾン希釈部（１７）は、オゾンと空気とを混合した気体を作り、オゾンの濃度は、皮膚に吹き付けた時に、皮膚に損傷を与えない程度に微細気泡状態で希釈する。該オゾンの濃度は、例えば、通常のオゾン殺菌の１００倍以下で制御するものである。【００１１】  次に、空気吸入部（１６）は、該オゾン希釈部（１７）で用いる空気を吸入するものであって、エアーポンプを装備してある。また、符号（１０）は、オゾン発生部を示し、該オゾン希釈部（１７）に連通される。開閉バルブ（１８）は、該オゾン希釈部（１７）と流体放出器（Ｂ）との間に装設され、気体供給量制御部（１９）から送られる制御されたガス流量設定信号に従って、該開閉バルブ（１８）の弁の開度が制御されるものである。
更に、該流体放出器（Ｂ）は、筒状に形成され、該オゾン希釈部（１７）で希釈されたオゾン含有の気体を噴出させ、該流体放出器（Ｂ）の外周に気泡筒（２）を設け、その構成材料としては、ゴム性樹脂等を発泡させた多孔質の材料より構成されているものである。符号（２０）は、身体（９）の顔面を示したものである。
【図面の簡単な説明】
【００１２】
【図１】  本発明のオゾン発生器の全体の斜面図である。
【図２】  本発明の流体放出器とホース部との全体の斜面図である。
【図３】  同じく本発明の泡体を生成する容器と流体放出器を示す斜面図である。
【図４】  本発明の流体放出器を身体の一部に摺動圧接した状態とオゾン発生器と流体放出器とのブロック図である。
【符号の説明】
【００１３】Ａ          オゾン発生器
Ｂ流体放出器
２          気泡筒
３          連結部
５          ホース部
６          差込部
７          容器
８          泡体
９          身体
１０        オゾン発生部
１１        オゾン供給ハンドル
１２        空気供給ハンドル
１３        パワータイマー
１４        オゾン供給口
１５        把手部
１６        空気吸入部
１７        オゾン希釈部
１８        開閉バルブ
１９        気体供給量制御部
２０        顔面